(57)【要約】【課題】  バックラッシュ現象を阻止し、ダンパ作用を迅速に発揮できる状態にした点である。      【解決手段】本体ケース１０内を回転軸２０の凸条２１側及び弁条体３０により圧力室５０側と非圧力室６０側とに区画した回転ダンパ−装置において、前記弁条体３０に、非圧力室６０側への摺動時に圧力室５０側に隙間を通して前記流体Ｑを非圧力室６０側から流通させる流通部３３を設け、前記凸条２１及び弁条体３０間に、前記圧力室５０側での隙間を閉じるように両者間の相対動を戻す付勢部材４０を設けたことを特徴とする。【選択図】  図２
2007198444.tif 000002
【特許請求の範囲】
【請求項１】
両端側を閉塞し少なくとも一部を断面円弧状に形成し内部に流体を封入した本体ケースと、この本体ケース内に相対回転可能に設けられ、当接部が前記円弧状の内面に当接して前記本体ケース内を圧力室側と非圧力室側とに区画する回転体とから構成され、前記当接部は、前記圧力室側に指向したリップ形状で弾性を有し、回転体を一方側に回転した時圧力室内の流体を圧縮し、他方側に回転した時非圧力室内の流体を圧力室側に流出するように撓む弁部で構成したことを特徴とする回転ダンパ−装置。
【請求項２】
請求項１記載の回転ダンパ−装置であって、
前記弁部の端面側を前記圧力室側に指向して本体ケースに接するリップ形状に形成したことを特徴とする回転ダンパ−装置。
【請求項３】
請求項１記載の回転ダンパ−装置であって、
前記本体ケースの内面から軸方向に沿って半径方向に凸設した隔壁に、回転体シール板を取り付けて構成され、この回転体シール板は、前記回転体との当接部が非圧力室側に指向したリップ形状で弾性を有し、回転体を一方側に回転した時は、圧力室内の流体が非圧力室側に流出するのを阻止し、他方側に回転した時は、非圧力室内の流体が圧力室側に適量ずつ流出するように撓み前記回転体に接する弁板で構成したことを特徴とする回転ダンパ−装置。
【発明の詳細な説明】
【技術分野】
【０００１】
本発明は、ピアノの鍵盤蓋、トイレの蓋等の閉じ作動等をダンピングする回転ダンパ−装置に関する。
【背景技術】
【０００２】
従来この種の回転ダンパ−装置は、蓋、扉等の開閉に際してこれにダンピング力を付与するものである。この従来の回転ダンパ−装置では、弁体が流体通路を遮断するまでの間に遊びがあるため、回転部材を閉蓋方向に回転した時、遊びの区間を弁が移動する。このため、ダンパ作用を発揮する状態になるまでに一定の時間がかかり、ダンピング作用が働かない範囲があった。このダンピング作用が働かない範囲ないし期間を「バックラッシュ」
と呼んでいる。
【０００３】
これに起因して例えば、ピアノの鍵盤蓋を少し開いて手を離した場合、前記バックラッシュにより鍵盤蓋が急速に閉じる恐れがある等問題があった。
【０００４】
【特許文献１】特許２５８１６５５号公報
【発明の開示】
【発明が解決しようとする課題】
【０００５】
解決しようとする問題点は、ダンパ作用を発揮する状態になるまでに一定の時間がかかり、ダンピング作用が働かない範囲があったという点である。
【課題を解決するための手段】
【０００６】
本発明は、バックラッシュを阻止するため、両端側を閉塞し少なくとも一部を断面円弧状に形成し内部に流体Ｑを封入した本体ケース１０と、この本体ケース１０内に相対回転可能に設けられ、当接部２１が前記円弧状の内面に当接して前記本体ケース１０内を圧力室５０側と非圧力室６０側とに区画する回転体２０とから構成され、前記当接部２１は、前記圧力室５０側に指向したリップ形状で弾性を有し、回転体２０を一方側に回転した時圧力室５０内の流体を圧縮し、他方側に回転した時非圧力室６０内の流体を圧力室５０側に流出するように撓む弁部３０で構成したことを最も主要な特徴とする。
【発明の効果】
【０００７】
本発明の回転ダンパ−装置は、前記当接部２１を、前記圧力室５０側に指向したリップ形状で弾性を有し、回転体２０を一方側に回転した時圧力室５０内の流体を圧縮し、他方側に回転した時非圧力室６０内の流体を圧力室５０側に流出するように撓む弁部３０で構成したから、弁部３０を構成する当接部２１を常時圧力室５０側に指向した状態で本体ケース１０の内面に圧接しておくことができる。
【０００８】
従って、流体通路を遮断した状態を常時維持でき、要ダンパー作動時にバックラッシュ現象を確実に阻止し、ダンパ作用を迅速に発揮させることができる。
【発明を実施するための最良の形態】
【０００９】
バックラッシュ現象を阻止するという目的を、弁部３０を構成する当接部２１を常時圧力室５０側に指向した状態で本体ケース１０の内面に圧接しておくことにより実現した。
【実施例１】
【００１０】
図１〜図３は本発明の実施例１からなる回転ダンパ−装置で、図１は正面視断面説明図、図２は図１のＡ−Ａ矢視断面説明図、図３は弁部を構成する当接部の平面視断面説明図である。
【００１１】
本発明の実施例１からなる回転ダンパ−装置Ｅ１は、本体ケース１０、回転軸２０、弁部３０及び回転体シール板４０から構成されている。
【００１２】
さらに説明すると前記本体ケース１０は、内面の少なくとも一部が断面円弧状に形成され、開放端側を蓋体１１で閉塞し、内部にシリコンオイル等の流体Ｑが封入されており、この本体ケース１０内に回転体２０が相対回転可能に挿入されている。
【００１３】
前記回転体２０の外面には軸方向に沿って半径方向に当接部２１が設けられており、この当接部２１は、前記本体ケース１０の円弧状の内面に当接して前記本体ケース１０内を圧力室５０側と非圧力室６０側とに区画するよう左右対称に形成されている。
【００１４】
さらに、この当接部２１は、前記圧力室５０側に指向したリップ形状で弾性を有し、回転体２０を一方側に回転した時、圧力室５０内の流体を圧縮し、他方側に回転した時、非圧力室６０内の流体を圧力室５０側に流出するように撓む弁部３０を構成している。
【００１５】
また、この弁部３０の左右両端部３１は、前記圧力室５０側に指向したリップ形状に形成されている。従って、弁部３０の左右両端部が摺動する前記本体ケース１０の左右両内端面とのシール性を大幅に向上することができる。
【００１６】
図２において４０は回転体シール板で、前記本体ケース１０の内面から軸方向に沿って相対向して半径方向に凸設した隔壁１２に取り付けられている。
【００１７】
この回転体シール板４０は、前記回転体２０との当接部４１が圧力室５０側に指向したリップ形状に形成され、しかも弾性を有し、さらに、回転体２０を一方側に回転した時は、圧力室５０内の流体が非圧力室６０側に流出するのを阻止し、他方側に回転した時は、非圧力室６０内の流体が圧力室５０側に適量ずつ流出流出するように撓む弁板で構成されている。
【００１８】
前記回転体シール板４０は、上述したように回転体２０を一方側に回転した時には、圧力室５０内の流体が非圧力室６０側に、流出するのを確実に阻止することができるので、意図した緩衝性能を有するダンパーを容易に得ることができ、また、回転体２０を他方側に回転した時は、非圧力室６０内の流体が圧力室５０側に設計値に基づいて適量ずつ流出
する事ができるので、ダンパーとしての性能を向上することができる。
【００１９】
実施例１からなる回転ダンパ−装置Ｅ１は、上述したように構成されているので、前記回転体２０を時計方向に回動すると、これに伴って前記当接部すなわち弁部３０が圧力室５０側に撓んで弁部３０によって閉鎖されていた流体Ｑの流通路が形成され非圧力室６０内の流体Ｑがこの流通路を経由して圧力室５０に流入し始める。
【００２０】
このように回転体２０を時計方向に回動する、すなわち、回転体２０を反ダンパー作動側に回動する場合の流体Ｑの移動抵抗は、流体Ｑが非圧力室６０から流通路を経由して圧力室５０に流入する抵抗のみで、ダンパー作用はない。
【００２１】
回転体２０の時計方向への回動を停止すると、弁部３０が自らの復元力で流通路を閉鎖し、流体Ｑの逆流を確実に阻止する。すなわち、バックラッシュ現象を確実に阻止することができる。
【００２２】
従って、要ダンパー作動時に、前記回転体２０を反時計方向に回動すると、これに伴って弁部３０も共に反時計方向への回動し、圧力室５０内の流体Ｑを加圧してダンパ作用を迅速に発揮させ、良好なダンパ効果を得ることができる。
【００２３】
この実施例１からなる回転ダンパ−装置Ｅ１は、回転体２０の当接部２１と、本体ケース１０の円弧状面との摺動は、この当接部２１を構成する弁部３０が、前記圧力室５０側に指向したリップ形状に形成され、しかも、弾性を有しているのでシール性に優れ、また、
この弁部３０の左右両端部が摺動する前記本体ケース１０の左右両内端面とのシール性も、前述したようにシール性に優れている。
【００２４】
従って、各構成パーツの寸法精度をラフ化できて製造コストを下げることができ、また、隙間部のシール性にも優れているので、製品間での精度のバラツキを阻止し、さらに、ダンパー性能を安定化することができる。
【図面の簡単な説明】
【００２５】
【図１】本発明の実施例１からなる回転ダンパ−装置を示す正面視断面説明図である。
【図２】図１のＡ−Ａ矢視断面説明図である。
【図３】弁部を構成する当接部の平面視断面説明図である。
【符号の説明】
【００２６】
１０  本体ケース
１２  隔壁
２０  回転体 
２１  当接部
３０  弁部
４０  回転体シール板
４１  当接部
５０  圧力室
６０  非圧力室
Ｑ    流体
【図１】
2007198444.tif 000003
【図２】
2007198444.tif 000004
【図３】
2007198444.tif 000005